(57)【要約】【課題】情報を表示する表示ユニットと、表示ユニットを支持する筐体ユニットとの間に発生する応力を抑制できる電子機器を提供すること。【解決手段】実施形態のノートパソコン１００は、情報を表示するための表面の端部に段差１６０Ａを備えた表示ユニット１６０と、前記表面を露出させつつ前記端部を覆う開口部１７０Ａを備え、前記表示ユニット１６０を支持するディスプレイ筐体ユニット１７０と、を有している。前記開口部１７０Ａは、前記段差１６０Ａに対向する部分に、湾曲面１７２ｈ、又は前記段差１６０Ａから離間する方向に傾斜した傾斜面３７２ｅを備えている。【選択図】図５
2020197801.tif 000002
【特許請求の範囲】
【請求項１】
情報を表示するための表面の端部に段差を備えた表示ユニットと、
前記表面を露出させつつ前記端部を覆う開口部を備え、前記表示ユニットを支持する筐体ユニットと、を有し、
前記開口部は、前記段差に対向する部分に、湾曲面、又は前記段差から離間する方向に傾斜した傾斜面を備えている、電子機器。
【請求項２】
前記開口部は、前記湾曲面又は前記傾斜面と連なり、前記表面に沿って前記表面の中央に向かう方向に突出した凸部を備えている、請求項１に記載の電子機器。
【請求項３】
前記表示ユニットは、前記筐体ユニットに着脱可能に取り付けられている、請求項１又は２に記載の電子機器。
【請求項４】
前記湾曲面の曲率半径は、前記段差の長さの１０倍以上である、請求項１乃至３のいずれか１項に記載の電子機器。
【請求項５】
前記表示ユニットの前記表面から、前記表示ユニットの法線方向に沿って最も離間した前記傾斜面の部分までの長さは、前記段差の長さの１０倍以上である、請求項１乃至３のいずれか１項に記載の電子機器。
【請求項６】
前記傾斜面は、前記表面に沿った方向から４５度以上傾斜している、請求項１乃至３及び５のいずれか１項に記載の電子機器。
【請求項７】
前記表示ユニットは、
情報を表示させる表示部材と、
前記表示部材上の、前記表面に対応する領域を被覆し、少なくとも可視光線の波長領域において透明な第１被覆部材と、
前記第１被覆部材と隣接し、前記表示部材上の前記領域以外の部分を被覆する第２被覆部材と、を含み、
前記段差は、前記第１被覆部材と前記第２被覆部材との厚みの差である、請求項１乃至６のいずれか１項に記載の電子機器。
【請求項８】
前記表示ユニットと前記筐体ユニットは、回転による前記表示ユニットの開閉動作を伴うノートパソコンに適用される、請求項１乃至７のいずれか１項に記載の電子機器。
【請求項９】
前記筐体ユニットは、前記表示ユニットの側面側から緩衝部材を介して挟持することで前記表示ユニットを収容する収容部を含む、請求項１乃至８のいずれか１項に記載の電子機器。
【発明の詳細な説明】
【技術分野】
【０００１】
本発明の実施形態は、電子機器に関する。
【背景技術】
【０００２】
電子機器において、筐体ユニットによって支持された表示ユニットにかかる応力を抑制する技術が知られている。上記の技術に関連して、フレームによって周縁部が覆われた表示パネルの不具合を防止する構成が開示されている。
【先行技術文献】
【特許文献】
【０００３】
【特許文献１】特開２００６−１６３７４２号公報
【発明の概要】
【発明が解決しようとする課題】
【０００４】
本発明の目的は、情報を表示する表示ユニットと、表示ユニットを支持する筐体ユニットとの間に発生する応力を抑制できる電子機器を提供することである。
【課題を解決するための手段】
【０００５】
実施形態に係る電子機器は、表示ユニットと、筐体ユニットと、を有している。前記表示ユニットは、情報を表示するための表面の端部に段差を備えている。前記筐体ユニットは、前記表面を露出させつつ前記端部を覆う開口部を備え、前記表示ユニットを支持する。前記開口部は、前記段差に対向する部分に、湾曲面、又は前記段差から離間する方向に傾斜した傾斜面を備えている。
【図面の簡単な説明】
【０００６】
【図１】第１実施形態のノートパソコン１００の構成を示す斜視図である。
【図２】図１のノートパソコン１００において、ディスプレイ筐体ユニット１７０のカバー１７１からマスク１７２を取り外し、表示ユニット１６０の全体を露出させた状態を示す斜視図である。
【図３】図２の領域Ｂのカバー１７１を拡大して示す斜視図である。
【図４】図１の領域Ａ１（Ａ２、Ａ３及びＡ４）を拡大して示す端面図である。
【図５】図４の領域Ｃを拡大したノートパソコン１００の要部を示す端面図である。
【図６】ノートパソコン１００の使用形態１であって、ユーザがディスプレイ筐体ユニット１７０を押圧してノートパソコン１００を閉じる状態を示す模式図である。
【図７】図６の領域Ｄを拡大して示す端面図である。
【図８】ノートパソコン１００の使用形態２であって、ユーザがディスプレイ筐体ユニット１７０の外縁をつかんでノートパソコン１００を開ける状態を示す模式図である。
【図９】図８の領域Ｅを拡大して示す端面図である。
【図１０】第２実施形態のノートパソコン２００の要部を示す端面図である。
【図１１】図１０のノートパソコン２００におけるユーザの視野の状態を示す模式図である。
【図１２】第３実施形態のノートパソコン３００の要部を示す端面図である。
【発明を実施するための形態】
【０００７】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。図面において、ノートパソコン１００を開いた状態における表示ユニット１６０の横幅方向Ｘ、奥行方向Ｙ及び高さ方向Ｚを矢印で示している。
【０００８】
図１から図５を参照して、第１実施形態のノートパソコン１００の構成を説明する。
【０００９】
図１は、第１実施形態のノートパソコン１００の構成を示す斜視図である。図２は、図１のノートパソコン１００において、ディスプレイ筐体ユニット１７０のカバー１７１からマスク１７２を取り外し、表示ユニット１６０の全体を露出させた状態を示す斜視図である。図３は、図２の領域Ｂのカバー１７１を拡大して示す斜視図である。図４は、図１の領域Ａ１（Ａ２、Ａ３及びＡ４）を拡大して示す端面図である。図５は、図４の領域Ｃを拡大したノートパソコン１００の要部を示す端面図である。
【００１０】
ノートパソコン１００（請求項では電子機器と称する）には、演算ユニット１１０、通信ユニット１２０、入出力ユニット１３０、電源ユニット１４０、ベース筐体ユニット１５０、表示ユニット１６０、ディスプレイ筐体ユニット１７０（請求項では筐体ユニットと称する）及び連結ユニット１８０が含まれている。ノートパソコン１００は、演算ユニット１１０、通信ユニット１２０、入出力ユニット１３０及び電源ユニット１４０を保持したベース筐体ユニット１５０と、表示ユニット１６０を保持したディスプレイ筐体ユニット１７０を、連結ユニット１８０によって開閉自在に連結して構成している。ノートパソコン１００に含まれている各ユニットについて順に説明する。
【００１１】
演算ユニット１１０は、図１及び図２に示すように、ノートパソコン１００において演算を行うユニットである。演算ユニット１１０には、システム基板であるマザーボードが含まれている。マザーボードは、ＲＯＭ（Ｒｅａｄ  Ｏｎｌｙ  Ｍｅｍｏｒｙ）、ＣＰＵ（Ｃｅｎｔｒａｌ  Ｐｒｏｃｅｓｓｉｎｇ  Ｕｎｉｔ）及びＲＡＭ（Ｒａｎｄｏｍ  Ａｃｃｅｓｓ  Ｍｅｍｏｒｙ）等を実装した基板から構成されている。
【００１２】
通信ユニット１２０は、図１及び図２に示すように、演算ユニット１１０を介して、外部の機器と無線通信等を行うユニットである。通信ユニット１２０には、演算ユニット１１０のマザーボードとのインターフェース（ｉｎｔｅｒｆａｃｅ：Ｉ／Ｆ）及びアンテナが含まれている。
【００１３】
入出力ユニット１３０は、図１及び図２に示すように、ユーザによってデータの入出力の操作が行われるユニットである。入出力ユニット１３０には、電源ボタン、キーボード、タッチパッド、スピーカ、マイク及び入出力端子（例えばＵＳＢ端子）が含まれている。
【００１４】
電源ユニット１４０は、図１及び図２に示すように、演算ユニット１１０、通信ユニット１２０、入出力ユニット１３０及び表示ユニット１６０に電力を供給するユニットである。電源ユニット１４０には、例えばリチウムイオン二次電池が含まれている。電源ユニット１４０は、外部の電源からＡＣアダプターを介して充電される。
【００１５】
ベース筐体ユニット１５０は、図１及び図２に示すように、演算ユニット１１０、通信ユニット１２０、入出力ユニット１３０及び電源ユニット１４０を保持するユニットである。ベース筐体ユニット１５０には、筐体が含まれている。筐体には、演算ユニット１１０、通信ユニット１２０及び電源ユニット１４０が収容され、かつ、入出力ユニット１３０が取り付けられている。
【００１６】
表示ユニット１６０は、図１、図２、図４及び図５に示すように、演算ユニット１１０を介して、映像や情報等を表示するユニットである。表示ユニット１６０は、図５に示すように、情報を表示するための表面の端部に段差１６０Ａを備えている。段差１６０Ａは、後述する反射防止シート１６２と保護シート１６３との厚みの差である。表示ユニット１６０には、ディスプレイ１６１（請求項では表示部材と称する）、反射防止シート１６２（請求項では第１被覆部材と称する）及び保護シート１６３（請求項では第２被覆部材と称する）が含まれている。
【００１７】
ディスプレイ１６１（表示部材）は、情報を表示させる。ディスプレイ１６１は、図４及び図５に示すように、例えば、液晶ディスプレイ（ＬＣＤ、ｌｉｑｕｉｄ  ｃｒｙｓｔａｌ  ｄｉｓｐｌａｙ）によって構成されている。ディスプレイ１６１は、液晶ディスプレイに換えて、有機エレクトロルミネッセンスディスプレイ等によって構成してもよい。
【００１８】
反射防止シート１６２（第１被覆部材）は、ディスプレイ１６１上の、情報を表示するための表面に対応する領域を被覆し、少なくとも可視光線の波長領域において透明である。反射防止シート１６２は、図１、図２、図４及び図５に示すように、ディスプレイ１６１上の、表面に対応する領域に取り付けられている。表面とは、ユーザに視認される面である。反射防止シート１６２は、図４及び図５に示すように、演算ユニット１１０から出力信号に応じてディスプレイ１６１の画素の発光制御がされている表示領域に相当するアクティブエリア１６１Ｍを被覆している。反射防止シート１６２の外縁は、アクティブエリア１６１Ｍの外縁に位置する。一方、反射防止シート１６２は、ディスプレイ１６１の外縁近傍に位置し、演算ユニット１１０から出力信号によらず常に非発光状態に維持されている、アクティブエリア１６１Ｍの周辺部の非アクティブエリア１６１Ｎ（非表示領域）を被覆しない。反射防止シート１６２は、ディスプレイ１６１からユーザの側に向かって導出される光を十分に透過させる。一方、反射防止シート１６２は、反射光を抑制する。すなわち、反射防止シート１６２は、ディスプレイ１６１の表示領域で反射した室内の照明光や室外の太陽光がユーザの目に入射することを抑制する。
【００１９】
保護シート１６３（第２被覆部材）は、反射防止シート１６２と隣接して、ディスプレイ１６１上の、情報を表示するための表面に対応する領域以外の部分である周辺部（非アクティブエリア１６１Ｎ）を被覆する。保護シート１６３は、図２、図４及び図５に示すように、反射防止シート１６２を避けてディスプレイ１６１を被覆するように、ディスプレイ１６１の周辺部（非アクティブエリア１６１Ｎ）に取り付けられている。保護シート１６３は、図５に示すように、反射防止シート１６２の端部１６２ａと接している。保護シート１６３は、十分な剛性と絶縁性を備えている。保護シート１６３は、ディスプレイ１６１の周辺部（非アクティブエリア１６１Ｎ）を被覆することにより、ディスプレイ筐体ユニット１７０の内部で振動したり荷重が掛かったりする、ディスプレイ１６１に対する応力を抑制する。また、保護シート１６３は、ディスプレイ１６１を絶縁する。
【００２０】
ディスプレイ筐体ユニット１７０は、図１乃至図５に示すように、表示ユニット１６０を保持するユニットである。ディスプレイ筐体ユニット１７０は、表面を露出させつつ端部を覆う開口部１７０Ａを備え、表示ユニット１６０を支持する。開口部１７０Ａは、段差１６０Ａに対向する部分に、湾曲面１７２ｈを備えている。ディスプレイ筐体ユニット１７０には、カバー１７１、マスク１７２、側部緩衝材１７３及び底部緩衝材１７４が含まれている。
【００２１】
カバー１７１は、図１乃至図４に示すように、表示ユニット１６０を裏面側から支持する筐体である。カバー１７１は、図１及び図２に示すように、横幅方向Ｘが高さ方向Ｚよりも長い矩形状から形成され、例えば樹脂からなる。カバー１７１は、図２乃至図４に示すように、外縁部１７１ａの内側に凹状の収容部１７１ｂが形成されている。収容部１７１ｂには、図４に示すように、表示ユニット１６０が収容される。収容部１７１ｂには、外縁部１７１ａから離間して起立した複数の突起部が形成されている。具体的には、図２に示すように、複数の突起部は、第１突起部１７１ｃ、第２突起部１７１ｄ、第３突起部１７１ｅ及び第４突起部１７１ｆから構成されている。複数の第１突起部１７１ｃは、ノートパソコン１００が開いた状態において、収容部１７１ｂの下方で横幅方向Ｘに並んでいる。同様に、複数の第２突起部１７１ｄは、収容部１７１ｂの上方で横幅方向Ｘに並んでいる。同様に、複数の第３突起部１７１ｅは、収容部１７１ｂの一方の側方（図２中の右側）で高さ方向Ｚに並んでいる。同様に、複数の第４突起部１７１ｆは、収容部１７１ｂの他方の側方（図２中の左側）で高さ方向Ｚに並んでいる。複数の第１突起部１７１ｃ、第２突起部１７１ｄ、第３突起部１７１ｅ及び第４突起部１７１ｆによって囲まれた領域に、側部緩衝材１７３及び底部緩衝材１７４を介して挟持されることで、表示ユニット１６０が支持される。
【００２２】
マスク１７２は、図１乃至図５に示すように、表示ユニット１６０を表面側から覆う筐体である。マスク１７２は、図１、図２、図４及び図５に示すように、ディスプレイ１６１のアクティブエリア１６１Ｍを露出させる開口部１７０Ａを備えている。すなわち、マスク１７２は、表示ユニット１６０の外縁の部分を表面側から覆っている。マスク１７２の厚みは、カバー１７１の厚みと比較して相対的に薄い。図２に示すように、マスク１７２に形成された鉤部１７２ａが、カバー１７１の外縁部１７１ａに備えられた引掛部１７１ｇに取り付けられる。このため、マスク１７２とカバー１７１は、着脱可能に接続される。
【００２３】
マスク１７２は、図５に示すように、開口部１７０Ａの周辺において、ユーザに視認される外面１７２ｂと、表示ユニット１６０と対向する内面１７２ｃを備えている。外面１７２ｂは、図５に示すように、開口部１７０Ａの側の端部において、表示ユニット１６０に向かって傾斜した第１傾斜面１７２ｄと連なっている。一方、内面１７２ｃは、図５に示すように、開口部１７０Ａの側の端部において、表示ユニット１６０から離れる方向に向かって傾斜した第２傾斜面１７２ｅと連なっている。第２傾斜面１７２ｅは、開口部１７０Ａの側の端部において、表示ユニット１６０に沿って延びる平面１７２ｆと連なっている。平面１７２ｆは、開口部１７０Ａの側の端部１７２ｇにおいて、表示ユニット１６０から離れる方向に湾曲した湾曲面１７２ｈを備えている。湾曲面１７２ｈと第１傾斜面１７２ｄの境界部分が、開口部１７０Ａに相当する。
【００２４】
側部緩衝材１７３は、図３に示すように、外部からカバー１７１を介して表示ユニット１６０に入力される応力のうち、特に横幅方向Ｘ及び高さ方向Ｚに沿った応力を緩和するものである。側部緩衝材１７３は、板状に形成され、例えば伸縮性を備えたゴムからなる。各々の側部緩衝材１７３は、複数の第１突起部１７１ｃ、第２突起部１７１ｄ、第３突起部１７１ｅ及び第４突起部１７１ｆと、表示ユニット１６０との間に位置するように、複数の第１突起部１７１ｃ、第２突起部１７１ｄ、第３突起部１７１ｅ及び第４突起部１７１ｆに取り付けられている。なお、側部緩衝材１７３は、例えば高さ方向Ｚにおいて対向する第１突起部１７１ｃと第２突起部１７１ｄにおいて、硬度を異ならせたものを取り付けてもよい。
【００２５】
底部緩衝材１７４は、図３に示すように、外部からカバー１７１を介して表示ユニット１６０に入力される応力のうち、特に奥行方向Ｙに沿った応力を緩和するものである。底部緩衝材１７４は、板状に形成され、例えば伸縮性を備えたゴムからなる。各々の底部緩衝材１７４は、複数の第１突起部１７１ｃ、第２突起部１７１ｄ、第３突起部１７１ｅ及び第４突起部１７１ｆによって囲まれた領域において、側部緩衝材１７３と隣り合うように、収容部１７１ｂに取り付けられている。
【００２６】
連結ユニット１８０は、図１及び図２に示すように、ベース筐体ユニット１５０とディスプレイ筐体ユニット１７０を回転自在に連結するユニットである。連結ユニット１８０には、ヒンジが含まれている。連結ユニット１８０を軸にして、ディスプレイ筐体ユニット１７０をベース筐体ユニット１５０に対して離間及び接近させることによって、ノートパソコン１００が開閉される。
【００２７】
図６及び図７を参照して、第１実施形態のノートパソコン１００の使用形態１を説明する。
【００２８】
図６は、ノートパソコン１００の使用形態１であって、ユーザがディスプレイ筐体ユニット１７０を押圧してノートパソコン１００を閉じる状態を示す模式図である。図７は、図６の領域Ｄを拡大して示す端面図である。
【００２９】
図６に示すように、使用形態１では、デスク１０に置かれたノートパソコン１００を、ユーザが閉めることを想定している。使用形態１において、ユーザは、例えば、右手２１でディスプレイ筐体ユニット１７０をベース筐体ユニット１５０に向かって押圧する。表示ユニット１６０とディスプレイ筐体ユニット１７０は、連結ユニット１８０を軸に回転しながら、ベース筐体ユニット１５０に接近する。このような場合、表示ユニット１６０とディスプレイ筐体ユニット１７０は、連結ユニット１８０側の基端部から先端側にかけて歪んで、応力が掛かることがある。具体的には、例えば、ユーザがディスプレイ筐体ユニット１７０をベース筐体ユニット１５０に向かって強く押圧すると、表示ユニット１６０とディスプレイ筐体ユニット１７０の間において相対的に大きな応力が掛かる。
【００３０】
図７に示すように、マスク１７２と表示ユニット１６０は、ユーザによるノートパソコン１００の閉動作に伴い応力が掛かると、実線で示す状態から破線で示す状態のように、相対的に歪んだり位置ずれしたりする可能性がある。具体的には、マスク１７２や表示ユニット１６０に応力が掛かっていない状態において、マスク１７２の端部１７２ｇや湾曲面１７２ｈ等は、実線で示すように、反射防止シート１６２及び保護シート１６３に接触していない。ここで、ユーザによるノートパソコン１００の閉動作に起因して、カバー１７１の一端に力が掛かり、カバー１７１はわずかながら変形する。一方、カバー１７１に側部緩衝材１７３や底部緩衝材１７４を介して支持された表示ユニット１６０は緩衝材の伸縮性により、カバー１７１で生ずるような変形は伴わない。一方、カバー１７１の変形に起因して、マスク１７２に応力が掛かると、破線で示す状態のように、マスク１７２の湾曲面１７２ｈが、反射防止シート１６２の段差１６０Ａの端部１６２ａに対して滑らかに接触しつつ表示ユニット１６０側に移動する。さらに、破線で示す状態のように、マスク１７２の端部１７２ｇが、保護シート１６３に接触する。その後、ユーザによるノートパソコン１００の閉動作が完了すると、マスク１７２や表示ユニット１６０に掛かっていた応力が消滅する。これにより、マスク１７２の湾曲面１７２ｈが、反射防止シート１６２の段差１６０Ａの端部１６２ａに対して滑らかに接触しつつ表示ユニット１６０側から離れるように移動する。そして、マスク１７２の端部１７２ｇ及び湾曲面１７２ｈ等は、反射防止シート１６２及び保護シート１６３のいずれからも離間した状態に戻る。
【００３１】
図８及び図９を参照して、第１実施形態のノートパソコン１００の使用形態２を説明する。
【００３２】
図８は、ノートパソコン１００の使用形態２であって、ユーザがディスプレイ筐体ユニット１７０の外縁をつかんでノートパソコン１００を開ける状態を示す模式図である。図９は、図８の領域Ｅを拡大して示す端面図である。
【００３３】
図８に示すように、使用形態２では、デスク１０に置かれたノートパソコン１００を、ユーザが開けることを想定している。使用形態２において、ユーザは、例えば、左手２２でベース筐体ユニット１５０を保持しつつ、右手２１でディスプレイ筐体ユニット１７０の外縁をつかんで開く。表示ユニット１６０とディスプレイ筐体ユニット１７０は、連結ユニット１８０を軸に回転しながら、ベース筐体ユニット１５０から離間する。このような場合、表示ユニット１６０とディスプレイ筐体ユニット１７０は、連結ユニット１８０側の基端部から先端側にかけて歪んで、応力が掛かることがある。具体的には、例えば、ユーザがディスプレイ筐体ユニット１７０を強く回転させると、表示ユニット１６０とディスプレイ筐体ユニット１７０の間において相対的に大きな応力が掛かる。
【００３４】
図９に示すように、マスク１７２と表示ユニット１６０は、ユーザによるノートパソコン１００の開動作に伴い応力が掛かると、実線で示す状態から破線で示す状態のように、相対的に歪んだり位置ずれしたりする可能性がある。この後の状態は、図７を参照して説明した状態と同様である。
【００３５】
第１実施形態のノートパソコン１００の効果を説明する。
【００３６】
第１実施形態によれば、ディスプレイ筐体ユニット１７０の開口部１７０Ａは、表示ユニット１６０の段差１６０Ａに対向する部分に、湾曲面１７２ｈを備えている。このような構成によれば、ディスプレイ筐体ユニット１７０と表示ユニット１６０との間に応力が掛かると、ディスプレイ筐体ユニット１７０のマスク１７２の湾曲面１７２ｈと、反射防止シート１６２の段差１６０Ａの端部１６２ａとを滑らかに接触させることができる。したがって、第１実施形態のノートパソコン１００は、表示ユニット１６０の開閉動作に伴い、情報を表示する表示ユニット１６０と、表示ユニット１６０を支持するディスプレイ筐体ユニット１７０との間に発生する応力の急激な変化を抑制できる。
【００３７】
具体的には、第１実施形態によれば、ディスプレイ筐体ユニット１７０のマスク１７２が表示ユニット１６０の段差１６０Ａに割り込んだ後に衝撃的に戻るようなことを防止できることから、いわゆる音鳴りを防止できる。さらに、第１実施形態によれば、ディスプレイ筐体ユニット１７０のマスク１７２が表示ユニット１６０の段差１６０Ａに対して衝撃的に接触するようなことを防止できることから、表示ユニット１６０及びディスプレイ筐体ユニット１７０の劣化や損傷を抑制できる。さらに、第１実施形態によれば、表示ユニット１６０とディスプレイ筐体ユニット１７０との間の応力を抑制できることから、ディスプレイ筐体ユニット１７０のマスク１７２を相対的に薄く形成したり相対的に柔らかい材料から形成したりしても、表示ユニット１６０を支持できる。
【００３８】
また、第１実施形態によれば、表示ユニット１６０は、ディスプレイ筐体ユニット１７０に着脱可能に取り付けられている。このような構成によれば、強固に固定されていない状態のディスプレイ筐体ユニット１７０と表示ユニット１６０との間に応力が掛かり、相対的に歪んだり位置ずれしたりする可能性が高くなる。しかしながら、マスク１７２の湾曲面１７２ｈと、反射防止シート１６２の段差１６０Ａとを滑らかに接触させて応力の急激な変化を抑制でき、表示ユニット１６０の微細な構造に対する大きなダメージの付与を回避することができる。ここで、表示ユニット１６０をディスプレイ筐体ユニット１７０に着脱可能に取り付ける構成を採用した場合には、ノートパソコン１００の構成部材の点検、修理又は交換を行う場合に非常に便利である。
【００３９】
また、第１実施形態によれば、図５に示すように、湾曲面１７２ｈの曲率半径Ｒ１は、段差１６０Ａの長さＨ１の１０倍以上である。このような構成によれば、マスク１７２の湾曲面１７２ｈの形状が、反射防止シート１６２の段差１６０Ａの形状に対して十分に大きいことから、互いに接触させながら移動させる時に、接触状態の変化を十分に小さくできる。このため、マスク１７２の湾曲面１７２ｈと、反射防止シート１６２の段差１６０Ａとを非常に滑らかに接触させて、応力の急激な変化を十分に抑制できる。
【００４０】
また、第１実施形態によれば、段差１６０Ａは、ディスプレイ１６１に取り付けられた反射防止シート１６２と保護シート１６３との厚みの差に相当する。このような構成によれば、表示ユニット１６０は、標準的かつ一般的な仕様に適用して構成することができる。ここで、第１実施形態のように、例えば反射防止シート１６２が保護シート１６３よりも厚い場合、マスク１７２の湾曲面１７２ｈと反射防止シート１６２の端部１６２ａとを滑らかに接触させることによって、端部１６２ａに対する応力を低減させて、反射防止シート１６２が端部１６２ａを起点としてディスプレイ１６１から剥離することを抑制できる。さらに、端部１６２ａに対する応力を低減させて、反射防止シート１６２と保護シート１６３との間から剥離が発生することを抑制できる。
【００４１】
また、第１実施形態によれば、表示ユニット１６０とディスプレイ筐体ユニット１７０は、回転による表示ユニット１６０の開閉動作を伴うノートパソコン１００に適用される。このような構成によれば、特に、ユーザによるノートパソコン１００の開閉動作に伴って発生し易い、ディスプレイ筐体ユニット１７０と表示ユニット１６０の間の応力を、効果的に抑制できる。
【００４２】
また、第１実施形態によれば、ディスプレイ筐体ユニット１７０は、表示ユニット１６０の側面側から側部緩衝材１７３及び底部緩衝材１７４を介して挟持することで表示ユニット１６０を収容する収容部１７１ｂを含んでいる。このような構成によれば、表示ユニット１６０は、側部緩衝材１７３や底部緩衝材１７４の部分に設けられた各突起部（第１突起部１７１ｃ、第２突起部１７１ｄ、第３突起部１７１ｅ及び第４突起部１７１ｆ）によって表示ユニット１６０を対向する側面側から挟持することで、表示ユニット１６０をカバー１７１に保持することができる。このため、カバー１７１が変形したとしても、側部緩衝材１７３及び底部緩衝材１７４の伸縮性によりカバー１７１の変形時の応力が表示ユニット１６０に直接かかることを防止できる。この結果、表示ユニット１６０を保護することができる。
【００４３】
図１０及び図１１を参照して、第２実施形態のノートパソコン２００の構成を説明する。
【００４４】
図１０は、第２実施形態のノートパソコン２００の要部を示す端面図である。図１１は、図１０のノートパソコン２００におけるユーザの視野の状態を示す模式図である。第２実施形態では、上記した第１実施形態と異なる構成を説明する。
【００４５】
図１０に示すように、ディスプレイ筐体ユニット２７０の開口部２７０Ａは、湾曲面１７２ｈと連なる凸部２７２ｉを備えている。凸部２７２ｉは、表示ユニット１６０の表面に沿って、表面の中央に向かう方向に突出している。表示ユニット１６０から導出され相対的に小さな角度で湾曲面１７２ｈに照射されて反射した光Ｆ１は、凸部２７２ｉに遮光されることなく、ユーザの視野範囲から大きく外れる。一方、表示ユニット１６０から導出され相対的に大きな角度（斜入射）で湾曲面１７２ｈに照射されて反射した光Ｆ２は、ユーザの視野範囲に向かって伝搬するが、凸部２７２ｉに遮光されて、ユーザの視野範囲から大きく外れる。
【００４６】
図１１に示すように、ノートパソコン２００は、１２０度に開けられている。ユーザの目３０の位置Ｐ１からディスプレイ筐体ユニット１７０までの水平距離Ｄ１は、４０ｃｍ以上を想定している。ここで、ユーザが注視する視野範囲は、ベース筐体ユニット１５０に沿った第１基準面Ｋ１からディスプレイ筐体ユニット１７０に沿った第２基準面Ｋ２の間の空間において、ユーザの目３０を基準とした領域Ｅ１から領域Ｅ２の範囲である。領域Ｅ１から領域Ｅ２の範囲において、湾曲面１７２ｈで拡散した光のうちユーザの目３０に向かって反射した光を、凸部２７２ｉによって遮ることができる。
【００４７】
第２実施形態のノートパソコン２００の効果を説明する。
【００４８】
第２実施形態によれば、開口部２７０Ａは、湾曲面１７２ｈと連なる凸部２７２ｉを備えている。このような構成によれば、表示ユニット１６０から導出されて湾曲面１７２ｈで反射した光Ｆ１及び光Ｆ２のうち、ユーザの目３０に入り易い光Ｆ２を凸部２７２ｉによって遮光することができる。凸部２７２ｉで反射した光Ｆ２は、ユーザの視野範囲から大きく外れる。したがって、湾曲面１７２ｈで反射した光によって、マスク１７２にユーザの意識が逸らされることを防止できる。さらに、第２実施形態によれば、反射防止シート１６２と保護シート１６３との境界部分を、凸部２７２ｉによってユーザの視界から遮蔽して、ユーザに視認させ難くすることができる。同様に、第２実施形態によれば、表示ユニット１６０側に対向しており、面精度が十分ではない（面が粗野である）湾曲面１７２ｈ等を、凸部２７２ｉによってユーザの視界から遮蔽して、ユーザに視認させ難くすることができる。この結果、ノートパソコン２００の美観を維持することができる。
【００４９】
図１２を参照して、第３実施形態のノートパソコン３００の構成を説明する。
【００５０】
図１２は、第３実施形態のノートパソコン３００の要部を示す端面図である。第３実施形態では、上記した第１及び第２実施形態と異なる構成を説明する。
【００５１】
図１２に示すように、ディスプレイ筐体ユニット１７０の開口部３７０Ａは、段差１６０Ａに対向する部分に、段差１６０Ａから離間する方向に傾斜した傾斜面３７２ｅを備えている。開口部３７０Ａは、傾斜面３７２ｅと連なる凸部３７２ｉを備えている。
【００５２】
第３実施形態のノートパソコン３００の効果を説明する。
【００５３】
第３実施形態によれば、開口部３７０Ａは、段差１６０Ａに対向する部分に、段差１６０Ａから離間する方向に傾斜した傾斜面３７２ｅを備えている。このような構成によれば、ディスプレイ筐体ユニット３７０と表示ユニット１６０との間に応力が掛かっても、ディスプレイ筐体ユニット３７０のマスク３７２の傾斜面３７２ｅと、反射防止シート１６２の段差１６０Ａの端部１６２ａとの接触を抑制できる。したがって、第３実施形態のノートパソコン１００は、情報を表示する表示ユニット１６０と、表示ユニット１６０を支持するディスプレイ筐体ユニット３７０との間に発生する応力を抑制できる。
【００５４】
第３実施形態によれば、図１２に示すように、表示ユニット１６０の表面から、表示ユニット１６０の法線方向に沿って最も離間した傾斜面３７２ｅの部分までの長さＨ２は、段差１６０Ａの長さＨ１の１０倍以上である。このような構成によれば、ディスプレイ筐体ユニット３７０と表示ユニット１６０との間に応力が掛かっても、傾斜面３７２ｅと段差１６０Ａとの距離を十分に確保できていることから、互いの接触を十分に抑制できる。
【００５５】
第３実施形態によれば、図１２に示すように、傾斜面３７２ｅは、表示ユニット１６０の表面に沿った方向から４５度（θ１）以上傾斜している。このような構成によれば、ディスプレイ筐体ユニット３７０と表示ユニット１６０との間に応力が掛かっても、傾斜面３７２ｅと段差１６０Ａとの距離を十分に確保できていることから、互いの接触を十分に抑制できる。
【００５６】
なお、本発明は上記実施形態そのままに限定されるものではなく、実施段階ではその要旨を逸脱しない範囲で構成要素を変形して具体化できる。又、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５７】
例えば、電子機器は、ノートパソコンに限定されることなく、例えば、タブレット型端末にも適用できる。
【符号の説明】
【００５８】
１００…ノートパソコン（電子機器）、１１０…演算ユニット、
１２０…通信ユニット、１３０…入出力ユニット、１４０…電源ユニット、
１５０…ベース筐体ユニット、１６０…表示ユニット、
１６１…ディスプレイ（表示部材）、１６１Ｍ…アクティブエリア、
１６１Ｎ…非アクティブエリア、１６２…反射防止シート（第１被覆部材）、
１６２ａ…端部、１６３…保護シート（第２被覆部材）、
１７０…ディスプレイ筐体ユニット（筐体ユニット）、１７０Ａ…開口部、
１７１…カバー、１７１ａ…外縁部、１７１ｂ…収容部、１７１ｃ…第１突起部、
１７１ｄ…第２突起部、１７１ｅ…第３突起部、１７１ｆ…第４突起部、
１７１ｇ…引掛部、１７２…マスク、１７２ａ…鉤部、１７２ｂ…外面、
１７２ｃ…内面、１７２ｄ…第１傾斜面、１７２ｅ…第２傾斜面、１７２ｆ…平面、
１７２ｇ…端部、１７２ｈ…湾曲面、１７３…側部緩衝材、１７４…底部緩衝材、
１８０…連結ユニット、２００…ノートパソコン（電子機器）、
２７０…ディスプレイ筐体ユニット（筐体ユニット）、２７０Ａ…開口部、
２７２ｉ…凸部、３００…ノートパソコン（電子機器）、
３７０…ディスプレイ筐体ユニット（筐体ユニット）、３７０Ａ…開口部、
３７２…マスク、３７２ｅ…傾斜面、３７２ｉ…凸部
【図１】
2020197801.tif 000003
【図２】
2020197801.tif 000004
【図３】
2020197801.tif 000005
【図４】
2020197801.tif 000006
【図５】
2020197801.tif 000007
【図６】
2020197801.tif 000008
【図７】
2020197801.tif 000009
【図８】
2020197801.tif 000010
【図９】
2020197801.tif 000011
【図１０】
2020197801.tif 000012
【図１１】
2020197801.tif 000013
【図１２】
2020197801.tif 000014